(57)【要約】【課題】ユーザが所望する再生位置まで早送り再生または早戻し再生することが容易となる映像再生装置を提供する。【解決手段】制御部５は再生時間情報に基づき針の回転角度を算出し、ＯＳＤ部３は算出された回転角度に基づきＯＳＤ映像情報を生成し、映像音声処理部２はデコードされたＩピクチャとＯＳＤ映像情報とを合成して合成映像情報を表示装置に出力し、算出された回転角度の位置に針が表示されたアナログ時計表示がＩピクチャの映像に重畳されて表示装置に表示される。【選択図】図１
2009048723.tif 000002
【特許請求の範囲】
【請求項１】
再生時間に応じたアナログ時計表示を早送り再生映像または早戻し再生映像に重畳して表示手段に表示させるための表示信号を前記表示手段に出力する表示信号出力手段を備えたことを特徴とする映像再生装置。
【請求項２】
前記アナログ時計表示において、再生開始を１２時の方向とし、再生時間が１秒経過するにつき６°だけ時計回りに針が回転するとした場合の現在の再生時間に対応する針の位置に針が表示されることを特徴とする請求項１に記載の映像再生装置。
【請求項３】
前記アナログ時計表示において、早送り用操作または早戻し用操作後最初に表示される再生映像に対応する再生時間を１２時の方向とし、その再生時間から再生時間が１秒経過するにつき６°だけ時計回りに、またはその再生時間から再生時間が１秒過去に遡るにつき６°だけ反時計回りに針が回転するとした場合の現在の再生時間に対応する針の位置に針が表示されることを特徴とする請求項１に記載の映像再生装置。
【請求項４】
前記アナログ時計表示において、再生開始を１２時の方向とし、再生時間が１分経過するにつき６°だけ時計回りに針が回転するとした場合の現在の再生時間に対応する針の位置に針が表示されることを特徴とする請求項１に記載の映像再生装置。
【請求項５】
前記アナログ時計表示において、早送り用操作または早戻し用操作後最初に表示される再生映像に対応する再生時間を１２時の方向とし、その再生時間から再生時間が１分経過するにつき６°だけ時計回りに、またはその再生時間から再生時間が１分過去に遡るにつき６°だけ反時計回りに針が回転するとした場合の現在の再生時間に対応する針の位置に針が表示されることを特徴とする請求項１に記載の映像再生装置。
【発明の詳細な説明】
【技術分野】
【０００１】
本発明は、映像再生装置に関する。
【背景技術】
【０００２】
従来より、映像再生装置は早送り再生や早戻し再生の機能を一般的に有している。このような映像再生装置として、例えば特許文献１には、映像再生中に早送りキーや早戻しキーが押されると、早送り再生や早戻し再生を開始し、その後、速度上昇キーまたは速度減少キーが押されるたびに早送りまたは早戻しの速度を上昇または減少させ、その際、速度表示ＯＳＤを変更するといった映像再生装置が開示されている。また、例えば特許文献２には、多段階の早送り操作や早戻し操作に応じて色、形状、点滅速度を変化させて所定の画像を表示させる映像再生装置が開示されている。
【特許文献１】特開２００７−２６５９９号公報
【特許文献２】特開２００７−１３４１０号公報
【発明の開示】
【発明が解決しようとする課題】
【０００３】
上記特許文献１および特許文献２に開示された映像再生装置によれば、速度表示ＯＳＤや所定の画像の表示によりユーザは早送り再生や早戻し再生の速度を把握することはできる。しかし、早送り再生や早戻し再生の速度をユーザが把握できたとしても、ユーザ所望の再生位置まで早送り再生または早戻し再生してその位置から通常再生を開始させることは依然ユーザにとって困難であった。
【０００４】
上記問題点を鑑み、本発明は、ユーザが所望する再生位置まで早送り再生または早戻し再生することが容易となる映像再生装置を提供することを目的とする。
【課題を解決するための手段】
【０００５】
上記目的を達成するために本発明の映像再生装置は、再生時間に応じたアナログ時計表示を早送り再生映像または早戻し再生映像に重畳して表示手段に表示させるための表示信号を前記表示手段に出力する表示信号出力手段を備えたことを特徴としている。
【０００６】
このような構成によれば、再生時間にしてどの位の時間だけ早送り再生または早戻し再生しているかユーザが把握でき、ユーザが所望する再生位置まで早送り再生または早戻し再生することが容易となる。
【０００７】
また、本発明の映像再生装置は、上記構成において、前記アナログ時計表示において、再生開始を１２時の方向とし、再生時間が１秒経過するにつき６°だけ時計回りに針が回転するとした場合の現在の再生時間に対応する針の位置に針が表示されるようにするとよい。
【０００８】
このような構成によれば、早送り再生開始から例えば１５秒後や３０秒後等の比較的短い期間後の再生位置までの早送り再生、または早戻し再生開始から例えば１５秒前や３０秒前等の比較的短い期間前の再生位置までの早戻し再生をユーザが所望するような場合にどの位早送り再生または早戻し再生しているかが分かりやすくなる。
【０００９】
また、本発明の映像再生装置は、上記構成において、前記アナログ時計表示において、早送り用操作または早戻し用操作後最初に表示される再生映像に対応する再生時間を１２時の方向とし、その再生時間から再生時間が１秒経過するにつき６°だけ時計回りに、またはその再生時間から再生時間が１秒過去に遡るにつき６°だけ反時計回りに針が回転するとした場合の現在の再生時間に対応する針の位置に針が表示されるようにしてもよい。
【００１０】
このような構成によれば、上記効果に加えて、早送り再生または早戻し再生が開始されると１２時の方向から常に針が回転を開始するので、再生時間にしてどの位の時間だけ早送り再生または早戻し再生しているかがよりユーザに分かりやすい。
【００１１】
また、本発明の映像再生装置は、上記構成において、前記アナログ時計表示において、再生開始を１２時の方向とし、再生時間が１分経過するにつき６°だけ時計回りに針が回転するとした場合の現在の再生時間に対応する針の位置に針が表示されるようにしてもよい。
【００１２】
このような構成によれば、早送り再生開始から例えば１０分後や２０分後等の比較的長い期間後の再生位置までの早送り再生、または早戻し再生開始から例えば１０分前や２０分前等の比較的長い期間前の再生位置までの早戻し再生をユーザが所望するような場合にどの位早送り再生または早戻し再生しているかが分かりやすくなる。
【００１３】
また、本発明の映像再生装置は、上記構成において、前記アナログ時計表示において、早送り用操作または早戻し用操作後最初に表示される再生映像に対応する再生時間を１２時の方向とし、その再生時間から再生時間が１分経過するにつき６°だけ時計回りに、またはその再生時間から再生時間が１分過去に遡るにつき６°だけ反時計回りに針が回転するとした場合の現在の再生時間に対応する針の位置に針が表示されるようにしてもよい。
【００１４】
このような構成によれば、上記効果に加えて、早送り再生または早戻し再生が開始されると１２時の方向から常に針が回転を開始するので、再生時間にしてどの位の時間だけ早送り再生または早戻し再生しているかがよりユーザに分かりやすい。
【発明の効果】
【００１５】
本発明の映像再生装置によれば、ユーザが所望する再生位置まで早送り再生または早戻し再生することが容易となる。
【発明を実施するための最良の形態】
【００１６】
以下、本発明の実施形態について図面を参照して説明する。ここでは、ＤＶＤプレーヤを一例として説明する。なお、本発明はＤＶＤプレーヤに限らず、ハードディスクレコーダ、Ｂｌｕ−ｒａｙ  Ｄｉｓｋ（登録商標）レコーダ等、あらゆる映像再生装置に適用可能である。
【００１７】
図１に、本発明に係るＤＶＤプレーヤの概略構成を示す。本発明に係るＤＶＤプレーヤは、ＤＶＤ再生部１と、映像音声処理部２と、ＯＳＤ（Ｏｎ  Ｓｃｒｅｅｎ  Ｄｉｓｐｌａｙ）部３と、リモコン受信部４と、制御部５とを備えている。
【００１８】
ＤＶＤ再生部１は、ＤＶＤに対して光を照射しＤＶＤに記録された情報を読み取り、読み取られた情報に復調および誤り訂正を行いストリーム情報を取り出し映像音声処理部２へ出力する。
【００１９】
映像音声処理部２は、ＤＶＤ再生部１から入力されるストリーム情報から映像情報および音声情報を分離し、それぞれの情報をデコードし、デコードされた映像情報および音声情報を不図示の外部の表示装置へ出力する。
【００２０】
ＤＶＤでは映像圧縮方式としてＭＰＥＧ２方式が採用されており、ストリーム情報から分離される映像情報には、Ｉピクチャ、Ｐピクチャ、Ｂピクチャの３種類がある。Ｉピクチャは、フレーム内の無駄な情報を取り除き圧縮したものであり、単独でデコードできる。Ｐピクチャは、過去のフレームから一方向のフレーム間予測を行い、差分を符号化したものである。Ｂピクチャは、過去と未来のフレームから双方向のフレーム間予測を行い、差分を符号化したものである。
【００２１】
ＯＳＤ部３は、制御部５の指示によりＯＳＤ映像情報を生成し映像音声処理部２へ出力する。映像音声処理部２は、上記のようにデコードされた映像情報とＯＳＤ映像情報とを合成し合成映像情報を不図示の表示装置へ出力したり、ＯＳＤ映像情報のみを不図示の表示装置へ出力したりする。
【００２２】
また、リモコン受信部４は、外部のリモコン６から赤外線信号を受信しリモコンコードに変換して制御部５へ出力する。
【００２３】
（第１実施形態）
次に、本発明に係るＤＶＤプレーヤによる早送り再生および早戻し再生について図２のフローチャートも参照して説明する。
【００２４】
ここで、ＤＶＤ再生部１がＤＶＤから情報を読み取りストリーム情報を出力し、映像音声処理部２がストリーム情報から映像情報を分離し、分離された映像情報をデコードし、デコードされた映像情報を不図示の外部の表示装置へ出力し、表示装置に通常再生の映像が表示中であるとする。
【００２５】
ここで、リモコン６において早送りキーまたは早戻しキーが操作されると、リモコン受信部４がリモコン６から赤外線信号を受信しリモコンコードに変換して制御部５に出力する。すると、制御部５の指示によりＤＶＤ再生部１はＩピクチャのアドレスに順次アクセスしてゆき、映像音声処理部２はＩピクチャのみを早送りの場合は再生時間が進む方向へ、早戻しの場合は再生時間が戻る方向へ順次デコードしてゆく。
【００２６】
また、制御部５は、映像音声処理部２からＩピクチャに対応する再生時間情報を取得し、再生時間情報が表す再生時間を秒数で表し、秒数で表された再生時間に６°／秒を乗算し、乗算した結果を３６０°で除算する場合の剰余を算出する（図２のステップＳ２１）。
【００２７】
そして、制御部５は上記で算出された角度をＯＳＤ部３へ通知し、ＯＳＤ部３はこの角度に基づきＯＳＤ映像情報を生成し、それを映像音声処理部２へ出力する（図２のステップＳ２２）。
【００２８】
そして、映像音声処理部２は、デコードされたＩピクチャとＯＳＤ映像情報とを合成して合成映像情報を生成し、それを不図示の表示装置へ出力する（図２のステップＳ２３）。すると、表示装置には、１２時の方向から時計回りに上記算出された角度だけ回転した位置に針が表示されたアナログ時計表示がＩピクチャの映像に重畳されて表示される。つまり、ここでは、再生開始を１２時の方向とし、再生時間が１秒経過するにつき６°だけ時計回りに針が回転するとした場合の現在の再生時間に対応する針の位置に針が表示される。なお、ここでは早送り再生を示す所定のアイコン、または早戻し再生を示す所定のアイコンもＩピクチャの映像に重畳されて表示される。
【００２９】
上記のような再生時間情報に基づく角度算出から合成映像情報の表示装置への出力までの処理がＩピクチャごとに行われることとなる。
【００３０】
例えば、リモコン６において早送りキーが操作された後最初に表示されるＩピクチャの再生時間が５分１０秒である場合、図２のステップＳ２１で、３１０秒×６°／秒＝１８６０°を３６０°で除算する場合の剰余として６０°が算出され、表示装置には、図３（ａ）のように、１２時の方向から時計回りに６０°だけ回転した位置（２時の方向）に針が表示されたアナログ時計表示３１がＩピクチャの映像に重畳されて表示される。また、ここでは早送り再生を示す所定のアイコン３２も表示される。
【００３１】
その後、針が序々に時計回りに回転しながらアナログ時計表示がＩピクチャの映像に重畳されて表示され、Ｉピクチャの再生時間が５分２５秒となると、図３（ｂ）のように、１２時の方向から時計回りに１５０°だけ回転した位置（５時の方向）に針が表示されたアナログ時計表示３１がＩピクチャの映像に重畳されて表示される。
【００３２】
その後、針が序々に時計回りに回転しながらアナログ時計表示がＩピクチャの映像に重畳されて表示され、Ｉピクチャの再生時間が５分４０秒となると、図３（ｃ）のように、１２時の方向から時計回りに２４０°だけ回転した位置（８時の方向）に針が表示されたアナログ時計表示３１がＩピクチャの映像に重畳されて表示される。
【００３３】
また、例えば、リモコン６において早戻しキーが操作された後最初に表示されるＩピクチャの再生時間が５分４０秒である場合、表示装置には、図４（ａ）のように、１２時の方向から時計回りに２４０°だけ回転した位置（８時の方向）に針が表示されたアナログ時計表示３１がＩピクチャの映像に重畳されて表示される。また、ここでは早戻し再生を示す所定のアイコン３３も表示される。
【００３４】
その後、針が序々に反時計回りに回転しながらアナログ時計表示がＩピクチャの映像に重畳されて表示され、Ｉピクチャの再生時間が５分２５秒となると、図４（ｂ）のように、１２時の方向から時計回りに１５０°だけ回転した位置（５時の方向）に針が表示されたアナログ時計表示３１がＩピクチャの映像に重畳されて表示される。
【００３５】
その後、針が序々に反時計回りに回転しながらアナログ時計表示がＩピクチャの映像に重畳されて表示され、Ｉピクチャの再生時間が５分１０秒となると、図４（ｃ）のように、１２時の方向から時計回りに６０°だけ回転した位置（２時の方向）に針が表示されたアナログ時計表示３１がＩピクチャの映像に重畳されて表示される。
【００３６】
本実施形態のアナログ時計表示により、再生時間にしてどの位の時間だけ早送り再生または早戻し再生しているかがユーザに分かり、ユーザが所望する再生位置まで早送り再生または早戻し再生することが容易となる。また、早送り再生開始から例えば１５秒後や３０秒後等の比較的短い期間後の再生位置までの早送り再生、または早戻し再生開始から例えば１５秒前や３０秒前等の比較的短い期間前の再生位置までの早戻し再生をユーザが所望するような場合にどの位早送り再生または早戻し再生しているかが分かりやすくなる。
【００３７】
（第２実施形態）
また、本発明に係るＤＶＤプレーヤによる早送り再生および早戻し再生は次のような実施形態をとってもよい。
【００３８】
ここで、ＤＶＤ再生部１がＤＶＤから情報を読み取りストリーム情報を出力し、映像音声処理部２がストリーム情報から映像情報を分離し、分離された映像情報をデコードし、デコードされた映像情報を不図示の外部の表示装置へ出力し、表示装置に通常再生の映像が表示中であるとする。
【００３９】
ここで、リモコン６において早送りキーまたは早戻しキーが操作されると、リモコン受信部４がリモコン６から赤外線信号を受信しリモコンコードに変換して制御部５に出力する。すると、制御部５の指示によりＤＶＤ再生部１はＩピクチャのアドレスに順次アクセスしてゆき、映像音声処理部２はＩピクチャのみを早送りの場合は再生時間が進む方向へ、早戻しの場合は再生時間が戻る方向へ順次デコードしてゆく。
【００４０】
また、制御部５は、映像音声処理部２からＩピクチャに対応する再生時間情報を取得し、再生時間情報が表す再生時間を秒数で表し、秒数で表された再生時間に６°／秒を乗算し、乗算した結果を３６０°で除算する場合の剰余を算出する。そして、制御部５は、早送りキーまたは早戻しキー操作後最初に表示されるＩピクチャについて上記と同様に算出される剰余の算出結果を上記剰余の算出結果から減算して角度を算出する（図２のステップＳ２１）。
【００４１】
そして、制御部５は上記で算出された角度をＯＳＤ部３へ通知し、ＯＳＤ部３はこの角度に基づきＯＳＤ映像情報を生成し、それを映像音声処理部２へ出力する（図２のステップＳ２２）。
【００４２】
そして、映像音声処理部２は、デコードされたＩピクチャとＯＳＤ映像情報とを合成して合成映像情報を生成し、それを不図示の表示装置へ出力する（図２のステップＳ２３）。すると、表示装置には、１２時の方向から時計回りに上記算出された角度だけ回転した位置（ただし、算出された角度が負である場合は１２時の方向から反時計回りに算出された角度の絶対値だけ回転した位置）に針が表示されたアナログ時計表示がＩピクチャの映像に重畳されて表示される。つまり、早送りキー操作または早戻しキー操作後最初に表示されるＩピクチャに対応する再生時間を１２時の方向とし、その再生時間から再生時間が１秒経過するにつき６°だけ時計回りに、またはその再生時間から再生時間が１秒過去に遡るにつき６°だけ反時計回りに針が回転するとした場合の現在の再生時間に対応する針の位置に針が表示される。なお、ここでは早送り再生を示す所定のアイコン、または早戻し再生を示す所定のアイコンもＩピクチャの映像に重畳されて表示される。
【００４３】
上記のような再生時間情報に基づく角度算出から合成映像情報の表示装置への出力までの処理がＩピクチャごとに行われることとなる。
【００４４】
例えば、リモコン６において早送りキーが操作された後最初に表示されるＩピクチャの再生時間が５分１０秒である場合、図２のステップＳ２１で、３１０秒×６°／秒＝１８６０°を３６０°で除算する場合の剰余として６０°が算出され、６０°から６０°を減算して角度として０°が算出され、表示装置には、図５（ａ）のように、１２時の方向から時計回りに０°だけ回転した位置（１２時の方向）に針が表示されたアナログ時計表示３１がＩピクチャの映像に重畳されて表示される。また、ここでは早送り再生を示す所定のアイコン３２も表示される。
【００４５】
その後、針が序々に時計回りに回転しながらアナログ時計表示がＩピクチャの映像に重畳されて表示され、Ｉピクチャの再生時間が５分２５秒となると、１５０°から６０°が減算され角度として９０°が算出され、図５（ｂ）のように、１２時の方向から時計回りに９０°だけ回転した位置（３時の方向）に針が表示されたアナログ時計表示３１がＩピクチャの映像に重畳されて表示される。
【００４６】
その後、針が序々に時計回りに回転しながらアナログ時計表示がＩピクチャの映像に重畳されて表示され、Ｉピクチャの再生時間が５分４０秒となると、２４０°から６０°が減算され角度として１８０°が算出され、図５（ｃ）のように、１２時の方向から時計回りに１８０°だけ回転した位置（６時の方向）に針が表示されたアナログ時計表示３１がＩピクチャの映像に重畳されて表示される。
【００４７】
また、例えば、リモコン６において早戻しキーが操作された後最初に表示されるＩピクチャの再生時間が５分４０秒である場合、２４０°から２４０°が減算され角度として０°が算出され、表示装置には、図６（ａ）のように、１２時の方向から時計回りに０°だけ回転した位置（１２時の方向）に針が表示されたアナログ時計表示３１がＩピクチャの映像に重畳されて表示される。また、ここでは早戻し再生を示す所定のアイコン３３も表示される。
【００４８】
その後、針が序々に反時計回りに回転しながらアナログ時計表示がＩピクチャの映像に重畳されて表示され、Ｉピクチャの再生時間が５分２５秒となると、１５０°から２４０°が減算され角度として−９０°が算出され、図６（ｂ）のように、１２時の方向から反時計回りに９０°だけ回転した位置（９時の方向）に針が表示されたアナログ時計表示３１がＩピクチャの映像に重畳されて表示される。
【００４９】
その後、針が序々に反時計回りに回転しながらアナログ時計表示がＩピクチャの映像に重畳されて表示され、Ｉピクチャの再生時間が５分１０秒となると、６０°から２４０°が減算され角度として−１８０°が算出され、図６（ｃ）のように、１２時の方向から反時計回りに１８０°だけ回転した位置（６時の方向）に針が表示されたアナログ時計表示３１がＩピクチャの映像に重畳されて表示される。
【００５０】
本実施形態のアナログ時計表示では、早送り再生または早戻し再生が開始されると１２時の方向から常に針が回転を開始するので、再生時間にしてどの位の時間だけ早送り再生または早戻し再生しているかがよりユーザに分かりやすく、ユーザが所望する再生位置まで早送り再生または早戻し再生することが容易となる。
【００５１】
（第３実施形態）
また、本発明に係るＤＶＤプレーヤによる早送り再生および早戻し再生は次のような実施形態をとってもよい。
【００５２】
本実施形態は、前述の第１実施形態と比較して、図２のステップＳ２１において、制御部５が、映像音声処理部２からＩピクチャに対応する再生時間情報を取得し、再生時間情報が表す再生時間を秒数で表し、秒数で表された再生時間に０．１°／秒を乗算し、乗算した結果を３６０°で除算する場合の剰余を算出する点で異なる。そして、ステップＳ２３で合成映像情報が表示装置に出力されると、表示装置には、１２時の方向から時計回りに上記算出された角度だけ回転した位置に針が表示されたアナログ時計表示がＩピクチャの映像に重畳されて表示される。つまり、ここでは、再生開始を１２時の方向とし、再生時間が１分経過するにつき６°だけ時計回りに針が回転するとした場合の現在の再生時間に対応する針の位置に針が表示される。
【００５３】
本実施形態のアナログ時計表示によれば、早送り再生開始から例えば１０分後や２０分後等の比較的長い期間後の再生位置までの早送り再生、または早戻し再生開始から例えば１０分前や２０分前等の比較的長い期間前の再生位置までの早戻し再生をユーザが所望するような場合にどの位早送り再生または早戻し再生しているかが分かりやすくなる。
【００５４】
（第４実施形態）
また、本発明に係るＤＶＤプレーヤによる早送り再生および早戻し再生は次のような実施形態をとってもよい。
【００５５】
本実施形態は、前述の第２実施形態と比較して、図２のステップＳ２１において、制御部５が、映像音声処理部２からＩピクチャに対応する再生時間情報を取得し、再生時間情報が表す再生時間を秒数で表し、秒数で表された再生時間に０．１°／秒を乗算し、乗算した結果を３６０°で除算する場合の剰余を算出し、さらに、早送りキーまたは早戻しキー操作後最初に表示されるＩピクチャについて上記と同様に算出される剰余の算出結果を上記剰余の算出結果から減算して角度を算出する点で異なる。
【００５６】
そして、ステップＳ２３で合成映像情報が表示装置に出力されると、表示装置には、１２時の方向から時計回りに上記算出された角度だけ回転した位置（ただし、算出された角度が負である場合は１２時の方向から反時計回りに算出された角度の絶対値だけ回転した位置）に針が表示されたアナログ時計表示がＩピクチャの映像に重畳されて表示される。つまり、早送りキー操作または早戻しキー操作後最初に表示されるＩピクチャに対応する再生時間を１２時の方向とし、その再生時間から再生時間が１分経過するにつき６°だけ時計回りに、またはその再生時間から再生時間が１分過去に遡るにつき６°だけ反時計回りに針が回転するとした場合の現在の再生時間に対応する針の位置に針が表示される。
【００５７】
本実施形態のアナログ時計表示によれば、早送り再生または早戻し再生が開始されると１２時の方向から常に針が回転を開始するので、早送り再生開始から例えば１０分後や２０分後等の比較的長い期間後の再生位置までの早送り再生、または早戻し再生開始から例えば１０分前や２０分前等の比較的長い期間前の再生位置までの早戻し再生をユーザが所望するような場合にどの位早送り再生または早戻し再生しているかがより分かりやすくなる。
【図面の簡単な説明】
【００５８】
【図１】は、本発明に係るＤＶＤプレーヤの概略構成を示す図である。
【図２】は、早送り再生時、早戻し再生時の本発明に係るＤＶＤプレーヤにおける処理を示すフローチャートである。
【図３】は、本発明の第１実施形態における早送り再生時の表示例を示す図である。
【図４】は、本発明の第１実施形態における早戻し再生時の表示例を示す図である。
【図５】は、本発明の第２実施形態における早送り再生時の表示例を示す図である。
【図６】は、本発明の第２実施形態における早戻し再生時の表示例を示す図である。
【符号の説明】
【００５９】
１    ＤＶＤ再生部
２    映像音声処理部
３    ＯＳＤ部
４    リモコン受信部
５    制御部
６    リモコン
【図１】
2009048723.tif 000003
【図２】
2009048723.tif 000004
【図３】
2009048723.tif 000005
【図４】
2009048723.tif 000006
【図５】
2009048723.tif 000007
【図６】
2009048723.tif 000008